(57)【要約】 【課題】収容庫を形成する際やその折り畳みの際に、収容庫の前端に設けた車輪が常に接地できる折り畳み式収納庫を提供する。【解決手段】後面板６と、後面板６の左右の連結部７，７に取付部材９，９を介して連結される折り畳み可能の左右の側面板１１，１１と、左右の側面板１１，１１の前端相互を連結する前面板１３を具える。後面板６と左右の側面板１１，１１と前面板１３とにより上端開放の収容庫１５を形成でき、左右の側面板１１，１１の折り畳みによって、前面板１３が後面板６に向けて移動でき、折り畳まれた側面板１１，１１に前面板１３が折り重なる。取付部材９は垂直面内で回動でき、前面板１３の左右の下部に設けられた車輪１３０ａ，１３０ａが、取付部材９の回動に応じて常に接地できる。【選択図】  図２
2005314109.tif 000002
【特許請求の範囲】
【請求項１】
後面板と、該後面板の左右の連結部に取付部材を介して連結され且つ該後面板の前側で突出状態となり得る左右の側面板と、該左右の側面板の前端部相互を連結する前面板とを具え、該後面板と該左右の側面板と該前面板とにより、上端開放の収容庫を形成する折り畳み式収容庫であって、
前記取付部材は、前記連結部に、垂直面内で回動可能に枢着され、又前記左右の側面板は、夫々、内側に折り畳まれるように且つ直線状に展開される如く枢着された前の側板と後の側板とからなり、該後の側板の後端部が前記取付部材に対して内方に屈曲可能に枢着されると共に該前の側板の前端部が前記前面板に対して内方に屈曲可能に枢着されており、又、該取付部材の前記回動に応じて、前記左右の側面板の下部及び／又は前記前面板の下部に設けられた接地部材が接地するようになされており、
又、前記左右の前の側板が、前記左右の取付部材に対し内方に屈曲して前記後面板の前面側の左右部分に折り重なり且つ前記左右の側面板が折り畳まれた状態で、該左右の側面板の内方への屈曲に伴って前記後面板に向けて移動する前記前面板が、該折り畳まれた左右の側面板に折り重なることを特徴とする折り畳み式収容庫。
【請求項２】
後面板と、該後面板の左右の連結部に取付部材を介して連結され且つ該後面板の前側で突出状態となり得る左右の側面板と、該左右の側面板の前端部相互を連結する前面板とを具え、該後面板と該左右の側面板と該前面板とにより、上端開放の収容庫を形成する折り畳み式収容庫であって、
前記取付部材は、前記連結部に、垂直面内で回動可能に枢着され、又前記左右の側面板は、夫々、内側に折り畳まれるように且つ直線状に展開される如く枢着された前の側板と後の側板とからなり、該後の側板の後端部が前記取付部材に対して内方に屈曲可能に枢着されると共に該前の側板の前端部が前記前面板に対して内方に屈曲可能に枢着されており、又、該取付部材の前記回動に応じて、前記前面板の下部の左右に設けられた車輪が接地するようになされており、
又、前記左右の前の側板が、前記左右の取付部材に対し内方に屈曲して前記後面板の前面側の左右部分に折り重なり且つ前記左右の側面板が折り畳まれた状態で、該左右の側面板の内方への屈曲に伴って前記後面板に向けて移動する前記前面板が、該折り畳まれた左右の側面板に折り重なることを特徴とする折り畳み式収容庫。
【請求項３】
折り畳まれた前記左右の側板と該左右の側板に折り重ねられた前記前面板が、前記後面板の前部に設けられた収納凹部に収納されることを特徴とする請求項１又は２記載の折り畳み式収容庫。
【請求項４】
直線状に展開した前記左右の側面板の上端側の対向部位相互を、前記側面板の長さ方向に所要間隔で、伸長した弾性紐状物で連結することによって、前記収納庫の上面を覆う鳥避け部を形成すると共に、前記側面板の屈曲を阻止する止め具を設け、該止め具による屈曲阻止作用を解除した状態では、前記弾性紐状物の弾性収縮作用によって前記左右の側面板が内方に屈曲し得ることを特徴とする請求項１又は２記載の折り畳み式収容庫。
【請求項５】
前記前面板及び／又は前記後面板に、前記弾性紐状物を着脱可能に保持する保持片を設けたことを特徴とする請求項４記載の折り畳み式収容庫
【請求項６】
前記前面板の左右、及び前記後面板の左右に、前記弾性紐状物を着脱可能に保持する保持片を設けたことを特徴とする請求項４記載の折り畳み式収容庫。
【請求項７】
前記前面板の左右に、前記弾性紐状物を着脱可能に保持する保持片を設けたことを特徴とする請求項４記載の折り畳み式収容庫。
【請求項８】
前記保持片は、前記弾性紐状物を引っ掛ける引掛け片であることを特徴とする請求項５、６又は７記載の折り畳み式収容庫。
【請求項９】
直線状に展開した前記左右の側面板の屈曲を阻止するための止め具を設けると共に、該止め具による屈曲阻止作用を解除した状態では、前記左右の側面板の夫々の枢着部分に配設された付勢部材の付勢作用によって、前記左右の側板面が内方に屈曲し得ることを特徴とする請求項１記載の折り畳み式収容庫。
【請求項１０】
前記前後の側板の夫々の上部及び前記前面板の上部に、略水平な軸線回りに正逆回転自在の忌避ローラを配置したことを特徴とする請求項１又は２記載の折り畳み式収容庫。
【請求項１１】
前記側面板の上部及び前記前面板の上部に、該側面板の略全長に亘る状態で且つ該側面板の上端から稍浮かして忌避用紐状物を配置したことを特徴とする請求項１又は２記載の折り畳み式収容庫。
【請求項１２】
請求項１記載の折り畳み式収容庫の使用方法であって、前記収容庫内に収容されている収容物を前側に存するものから順次取り出し、この取り出しに伴って、前記前面板を前記後面板に向けて移動させることを特徴とする折り畳み式収容庫の使用方法。
【発明の詳細な説明】
【技術分野】
【０００１】
本発明は、例えばごみ収集場所に設置されることによって、使用時には、ごみを一時的に収容する収容庫を形成できる一方、不使用時には小さく折り畳むことのできる折り畳み式収容庫に関するものである。又、該折り畳み式収容庫の使用方法に関するものである。
【背景技術】
【０００２】
各家庭で排出される生ごみ等のごみは、路上等の予め指定された収集場所に出されており、このように出されたごみはごみ収集車により回収されるのであるが、ごみ収集車が来るまでの間にカラスや猫等がごみ袋を破ってごみを散乱させることが多い。更には、散乱したごみ上を自動車が通行する等して散乱が更に拡がり周辺の環境を著しく悪化させる問題があった。又このように散乱すると、散乱ごみの回収作業やその後の清掃作業に多大の時間を要する問題もあった。
【０００３】
このような問題点を解決すると共に、不使用時における設置スペースを削減し得る折り畳み式のごみ収容庫として、特開平９−３１５５０５号公報が開示する、側面板折り畳み式の折り畳み式ごみ箱や、特開２０００−３０９４０１号公報が開示するパンタグラフ伸縮機構を具えたごみ集積ボックス等が提案されている。
【０００４】
前記折り畳み式ごみ箱の発明は、ごみ収容庫を構成する両側面板の夫々が内側に折り畳まれるように構成され、該内側に折り畳まれた両側面板が前面板と背面板とにより挾着されるように構成されると共に、前面板の下部及び背面板の下部にキャスターが取り付けられており、該キャスターによって移動できるように構成されていた。そして使用時には、前記両側面板を開きながら前記前面板を前方向に移動させて直方体箱状の収容庫を形成するものであった。このように収容庫を構成する際、該発明を開示する前記公報の段落００１２に、側面板が前面板に折り曲げ可能に連結されていることが記載されており、又同公報の図１、図２には、前面板の下部に設けられたキャスターが接地するように記載されている。これらの記載からすれば、キャスターが転動する設置面（接地面）は水平であると理解できる。
【０００５】
今、該折り畳み式ごみ箱を歩道の所定場所に設置し且つ前記背面板を路面や塀等に固定したとすれば、歩道面には、車道に向けて下方向に傾斜する２〜３％程度の水勾配が設けられていることから、前面板を前進させるに伴い、車輪が路面から浮き上がってしまい、形成されたごみ箱が不安定状態となる。この場合、背面板に対する側板の屈曲連結部や、側面板の折り畳み屈曲連結部が、側面板の自重を支えながら無理に変形することによって車輪が歩道面に接地するかもしれない。仮にこのように接地した場合は、一見、形成されたごみ箱が安定状態にあるかのように見える。しかしながら、このような無理な設置状態が、側面板の折り畳み動作と展開動作に応じて幾度となく繰り返される内に、前記屈曲連結部にガタツキが発生し、形成されたごみ箱は構造的に不安定化してその機能を果たさなくなってしまう。
【０００６】
又前記ごみ集積ボックスの発明は、前後方向に伸縮自在なパンタグラフ伸縮機構と、該パンタグラフ伸縮機構の前端部に設けられた前面パネルとによってごみ収容庫を形成でき、該パンタグラフ伸縮機構を縮めた状態において、該パンタグラフ伸縮機構と前記前面パネルを収納枠の内部に収納可能となされていた。そのため、折り畳まれたパンタグラフ伸縮機構の前後長さが、形成するごみ収容部の前後長さに応じて大きくなるため、前記収納枠の前後幅が必然的に大きくなる問題があった。又、パンタグラフ伸縮機構を構成する縦桟の下端に車輪が設けられており、該発明を開示する前記公報の図面の図４には、パンタグラフ伸縮機構を伸長してごみ収容部を形成したときに、該車輪が安定的に接地した状態が記載されているが、その接地面は水平であって傾斜面ではない。
【０００７】
そのため、該ごみ集積用ボックスを歩道の所定場所に設置したとすれば、前記と同様、パンタグラフ伸縮機構のＸ字状に交差する交差部のピン接合箇所が無理に変形する等して前記車輪が接地するかもしれないが、このような無理な変形を生じさせることはごみ集積用ボックスの破損を招く原因となった。
【特許文献１】特開平９−３１５５０５号公報（２−３頁、図１、図２）
【特許文献２】特開２０００−３０９４０１号公報（２−３頁、図１、図４、図６）
【発明の開示】
【発明が解決しようとする課題】
【０００８】
本発明は、使用時には拡げてごみ等の収容物の収容庫を形成できる一方、不使用時にはコンパクトに折り畳むことができながら、車輪等の接地部材の接地面が、収容庫の形成方向に向けて下り勾配や上り勾配であるときにも、該車輪が無理なく接地し得る折り畳み式収容庫の提供を課題とするものである。又、歩行者や車両等の交通の妨げとなることがより少なくなるように該収容庫をよりコンパクトに折り畳むことのできる折り畳み式収容庫の提供を課題とするものである。更に、カラスや猫等の被害を受けにくい折り畳み式収容庫の提供を課題とするものである。又、収容されているごみ袋等の収容物の取り出しを容易とする折り畳み式収容庫の使用方法の提供を課題とするものである。
【課題を解決するための手段】
【０００９】
前記課題を解決するため、本発明は以下の手段を採用する。
即ち本発明に係る折り畳み式収容庫は、後面板と、該後面板の左右の連結部に取付部材を介して連結され且つ該後面板の前側で突出状態となり得る左右の側面板と、該左右の側面板の前端部相互を連結する前面板とを具え、該後面板と該左右の側面板と該前面板とにより、上端開放の収容庫を形成する折り畳み式収容庫である。前記取付部材は、前記連結部に、垂直面内で回動可能に枢着され、又前記左右の側面板は、夫々、内側に折り畳まれるように且つ直線状に展開される如く枢着された前の側板と後の側板とからなり、該後の側板の後端部が前記取付部材に対して内方に屈曲可能に枢着されると共に該前の側板の前端部が前記前面板に対して内方に屈曲可能に枢着されており、又、該取付部材の前記回動に応じて、前記左右の側面板の下部及び／又は前記前面板の下部に設けられた接地部材が接地するようになされている。又、前記左右の前の側板が、前記左右の取付部材に対し内方に屈曲して前記後面板の前面側の左右部分に折り重なり且つ前記左右の側面板が折り畳まれた状態で、該左右の側面板の内方への屈曲に伴って前記後面板に向けて移動する前記前面板が、該折り畳まれた左右の側面板に折り重なることを特徴とするものである。
【００１０】
本発明に係る折り畳み式収容庫のより好ましい態様は、後面板と、該後面板の左右の連結部に取付部材を介して連結され且つ該後面板の前側で突出状態となり得る左右の側面板と、該左右の側面板の前端部相互を連結する前面板とを具え、該後面板と該左右の側面板と該前面板とにより、上端開放の収容庫を形成する折り畳み式収容庫である。前記取付部材は、前記連結部に、垂直面内で回動可能に枢着され、又前記左右の側面板は、夫々、内側に折り畳まれるように且つ直線状に展開される如く枢着された前の側板と後の側板とからなり、該後の側板の後端部が前記取付部材に対して内方に屈曲可能に枢着されると共に該前の側板の前端部が前記前面板に対して内方に屈曲可能に枢着されており、又、該取付部材の前記回動に応じて、前記前面板の下部の左右に設けられた車輪が接地するようになされている。又、前記左右の前の側板が、前記左右の取付部材に対し内方に屈曲して前記後面板の前面側の左右部分に折り重なり且つ前記左右の側面板が折り畳まれた状態で、該左右の側面板の内方への屈曲に伴って前記後面板に向けて移動する前記前面板が、該折り畳まれた左右の側面板に折り重なることを特徴とするものである。
【００１１】
前記折り畳み式収容庫において、折り畳まれた前記左右の側板と該左右の側板に折り重ねられた前記前面板が、前記後面板の前部に設けられた収納凹部に収納されるように構成するのがよい。
【００１２】
又前記折り畳み式収容庫において、直線状に展開した前記左右の側面板の上端側の対向部位相互を、前記側面板の長さ方向に所要間隔で、伸長した弾性紐状物で連結することによって、前記収納庫の上面を覆う鳥避け部を形成すると共に、前記側面板の屈曲を阻止する止め具を設け、該止め具による屈曲阻止作用を解除した状態では、前記弾性紐状物の弾性収縮作用によって前記左右の側面板が内方に屈曲し得るように構成するのがよい。
【００１３】
このように構成する場合、前記前面板及び／又は前記後面板に、前記弾性紐状物を着脱可能に保持する保持片を設けるのがよい。より好ましくは、前記前面板の左右、及び前記後面板の左右に、前記弾性紐状物を着脱可能に保持する保持片を設けるのがよい。そして前記保持片は、前記弾性紐状物を引っ掛ける引掛け片として構成するのがよい。
【００１４】
本発明に係る折り畳み式収容庫は、直線状に展開した前記左右の側面板の屈曲を阻止するための止め具を設けると共に、該止め具による屈曲阻止作用を解除した状態では、前記左右の側面板の夫々の枢着部分に配設された付勢部材の付勢作用によって、前記左右の側板面が内方に屈曲し得るように構成するのがよい。
【００１５】
又本発明に係る折り畳み式収容庫は、前記前後の側板の夫々の上部及び前記前面板の上部に、略水平な軸線回りに正逆回転自在の忌避ローラが配置されたものとして構成するのがよい。
【００１６】
又本発明に係る折り畳み式収容庫は、前記側面板の上部及び前記前面板の上部に、該側面板の略全長に亘る状態で且つ該側面板の上端から稍浮かして忌避用紐状物が配置されたものとして構成するのがよい。
【００１７】
本発明に係る折り畳み式収容庫の使用方法は、前記収容庫内に収容されている収容物を前側に存するものから順次取り出し、この取り出しに伴って、前記前面板を前記後面板に向けて移動させることを特徴とするものである。
【発明の効果】
【００１８】
本発明は以下の如き優れた効果を奏する。
(1) 本発明に係る折り畳み式収容庫は、使用時にはこれを拡げてごみ等の収容物の収容庫を形成できる一方、不使用時には、これをコンパクトに折り畳むことができるのはもとより、前記接地部材（車輪等）の接地面が収容庫の形成方向に向けて下り勾配や上り勾配であるときにも、該接地部材が無理なく接地でき、構造的に安定した耐久性に優れた折り畳み式収容庫を形成できることとなる。
【００１９】
(2) 又、後面板の前部に収納凹部を設け、折り畳まれた左右の側面板及び前面板が該収納凹部に収納されるように構成することにより、不使用時において、全体をよりコンパクトに折り畳むことができる。
【００２０】
(3) 直線状に展開した左右の側面板の上端側の対向部位相互を、側面板の長さ方向に所要間隔で、伸長した弾性紐状物で連結する構成を採用した場合は、収容庫の上面を被うように鳥避け部を形成でき、カラス等が寄りつくのを抑制できると共に、前記止め具による屈曲阻止作用を解除した状態では、該弾性紐状物の弾性収縮作用によって前記左右の側面板を内方に屈曲させることができ、収容庫の折り畳みを無理なく行わせ得る利点がある。
この場合、前記前面板及び／又は前記後面板に、前記弾性紐状物を着脱可能に保持する引掛け片等の保持片を設けることにより、該弾性紐状物をこれらの保持片に保持させることで、ごみ回収や収容物の取り出しに際して、収容物の取り出し口を大きく形成できて好ましい。特に、前記前面板の左右及び前記後面板の左右に保持片を設ける場合は、収容庫の上端を全開に近い状態に大きく開放させ得ることとなって一層好ましい。
【００２１】
(4) 直線状に展開した前記左右の側面板の屈曲を阻止するための止め具を設けると共に、該止め具による屈曲阻止作用を解除した状態では、前記左右の側面板の夫々の枢着部分に配設された付勢部材の付勢作用によって、前記左右の側板面が内方に屈曲し得る如く構成した場合は、前記弾性紐状物を用いないときも、前記左右の側板面を前記付勢部材の付勢作用によって内方に屈曲させることができ、収容庫の折り畳みを無理なく行わせることができて好ましい。
【００２２】
(5) 本発明に係る折り畳み式収容庫がごみ収容のために利用される場合、前後の側板及び前面板の上部に、略水平な軸線回りに正逆回転自在の忌避ローラを配設することにより、該忌避ローラの自由な正逆回転に伴う不安定性によって、カラス等の鳥が左右の側面板上や前面板上に止まるのを効果的に防止でき、又、猫等が該左右の側面板や前面板を乗り越えるのを効果的に防止できる。
又、上端の長さ方向に延長する忌避用紐状物を左右の側面板や前面板の上部に配設したときも、このようなカラス避けや猫避けの効果を期待できる。
【００２３】
(6) 本発明の使用方法によるときは、収容庫に収容されているごみ袋等の収容物を常に前面板に近接状態にできることから、収容庫からの収容物の取り出しを容易化、能率化し得ることとなる。
【実施例１】
【００２４】
図１〜６において本発明に係る折り畳み式収容庫１は、例えば歩道２に設けた花壇部３の途切れ部分５に設置されるごみ収容庫として応用されており、設置面に固定された状態で立設される後面板６と、該後面板６の左右の連結部７，７（図６〜７）に取付部材９，９を介して連結され該後面板６の前側で、車道１０に向けて突出状態となり得る折り畳み可能の左右の側面板１１，１１と、該左右の側面板１１，１１の前端部１２，１２相互を連結する前面板１３とを具える。そして使用時には、図２〜３に示すように、前記後面板６と前記左右の側面板１１，１１と前記前面板１３とにより上端開放の直方体箱状の収容庫１５を形成できる一方、不使用時には、図４に示すように該収容庫１５をコンパクトに折り畳み得る構成を有している。
【００２５】
前記後面板６は、図６に示すように、横長矩形板状を呈する収納立壁部１６の上端に、前方に向けて約２５度の角度で傾斜する掲示板部１７が屈曲形成された構成を有している。該収納立壁部１６は、横断面が前後方向に長い矩形筒状の縦枠１９，１９の下端相互が板状の下の横枠２０で連結されると共に、該左右の縦枠１９，１９の上端寄り部位相互が角筒状の上の横枠２１で連結されており、該上の横枠２１と前記掲示板部１７との間に空間２２が形成されている。又、前記左右の縦枠１９，１９と前記上下の横枠２１，２０が形成する空間部２３の後面がカバー板２３で覆われ、これにより、前記収納立壁部１６は、その前面側が開放された収納凹部２９が形成されている。該収納凹部２９の横幅は、例えば、約１４００ｍｍに設定されると共に、その上下高さは約８００ｍｍに設定され、奥行きは約１００ｍｍに設定されている。
【００２６】
そして前記下の横枠２０には、図８に示すように、歩道面３０ａとしての設置面（接地面）３０に植設されたアンカーボルト３１を挿通させるボルト孔３２が設けられている。又、図３に示すように、該収納立壁部１６の後面３３の上下中央部位には、収納立壁部１６の両側で突設されたアーム３５，３５でパイプ３６を支持してなるベンチ３７が形成されている。
【００２７】
又前記掲示板部１７は、図３〜４、図８に示すように、横長矩形枠３９内の斜め方向の上側部分に位置させて、透明ガラス板や透明樹脂板等の透明板４０が嵌着され、その下側の空間は、掲示板４１を納めるための嵌め入れ部４２とされている。該掲示板４１は、表面がポスター等の掲示面４３とされた横長矩形板状に形成されており、その下縁部４５が、前記横長矩形枠３９の下縁部４６に、左右の蝶番４７，４７を介して上方に回動可能に連結されており、図８に一点鎖線で示す略垂下した状態と、図８、図６に示すように前記嵌め入れ部４２に嵌まり合った状態との間で回動できる。そして該嵌まり合った状態において、図８に示すように、該掲示板４１の上側周面部４９が前記横長矩形枠３９内に周設された戸当り部５０で支持されるようになされると共に、該嵌まり合った状態で、図４に示すように鍵５１によりロックされる。
【００２８】
前記取付部材９は、図７、図１６に示すように、上下に長い平板状をなす基板５２の上下端で上下の支持片５３，５５が突設されており、該上下の支持片５３，５５には、連結ボルト５６（図５、図１６）を螺合させ得るネジ孔５７，５７が設けられている。そして該基板５２の中央部位が、前記収納凹部２９内に存する前記縦枠１９の内側面部としての前記連結部７に、枢着具５９を介して、垂直面内で回動可能に枢着されている。又前記基板５２の上下端は、該基板５２が垂直状態において、前記収納凹部２９の上下端寄り部位に位置する。本実施例においては、取付部材９の剛性を向上させる目的で、基板５２の後縁部において、上下の支持片５３，５５を連結するように補強片５８を設けている。
【００２９】
前記枢着具５９を構成する支持軸部材６５は、図９〜１０に示すように、前記連結部７に溶接等により固定された固定板６６に枢軸６７が突設された構成を有し、該枢軸６７には、滑り軸受部材６９が装着されている。該滑り軸受部材６９は、前記枢軸６７が密接に挿通でき且つ周方向に摺動し得るリング部７０の内端に、前記固定片６６の外面７１に当接し得る鍔部７２が突設されてなり、前記枢軸６７に対して回動し得る。
【００３０】
そして前記リング部７０が、前記基板５２の中央部に貫設された軸孔７３にその内端側から挿入せしめられ、該軸孔７３の内周面７５に固着されると共に前記鍔部７２が前記軸孔７３の内端周縁部７６に当接されることにより、前記滑り軸受部材６９が前記基板５２に固定されている。なお前記リング部７０の外端７７は、前記軸孔７３の外端７９から稍突出せしめられている。又、前記枢軸６７が前記リング部７０に挿通せしめられた状態で、枢軸６７にワッシャ８０が嵌められ、該枢軸６７に設けたリング溝２４に嵌まるスナップリング８１によって該ワッシャ８０が抜け止めされている。これにより前記取付部材９が、図１１に示す垂直状態から図１２〜１３に示す傾斜状態となり得るように、前記枢軸６７に回動可能に枢着されている。なお本実施例においては、前記スナップリング８１が万一外れた場合の安全策として、前記枢軸６７にその端面で開口する盲のネジ孔６４を設け、該ネジ孔６４に、片側切断の抜け止め座金６８及び、スプリングワッシャ４４、円環状座金７４を介して止めボルト７８を螺合し締め付ける構成を採用している。前記スナップリング８１が外れたとき、前記基板５２が前記枢軸６７から脱落する恐れがあるが、前記抜け止め座金６８が基板５２の脱落を阻止する。
【００３１】
又前記側面板１１は、図２〜３、図５、図１４に示すように、内側に折り畳まれるように且つ直線状に展開される如く対向端部８２，８３相互が蝶番８５を介して枢着された後の側板８６と前の側板８７とからなる。該前後の側板８７，８６は共に、図５に示すように、ステンレス板等の金属板を折曲して形成されており、その外周部分８９，８９は、水平に屈曲された周面部（例えば２０ｍｍ幅）９０と該周面部９０の先端で内側に屈曲されて内側屈曲片９１を有する。又図１５に示すように、前後の側板８７，８６の下端部分には前記内側屈曲片９１によって溝部９２が形成されるので、該溝部９２の底面９３に水抜き孔９５が設けられている。なお該前後の側板８７，８６は、その外周部分８９，８９が断面コ字状を呈するため、薄肉のステンレス板を用いて形成されてはいても、所要の剛性を有する。
【００３２】
そして、前記蝶番８５は内方にのみ折り畳み可能のもので、図１４に示すように、その一方の蝶番片９６が前記後の側板８６の前端面９７に固定されると共に、他方の蝶番片９９が、前の側板８７の後端面１００に固定されている。
【００３３】
又図１６〜１７に示すように、該後の側板８６の後端部１１１が前記取付部材９に対して、図１７に矢印で示す内方に屈曲可能に枢着されている。該後端部１１１には、その上下端寄り部位において、前記取付部材９に設けられている前記上の支持片５３の下面１１２と前記下の支持片５５の上面１１３に、夫々滑りリング１１５，１１５を介して重なる上下の連結片１１６，１１７が固定されている。又該上下の連結片１１６，１１７には、前記上下の枢着ボルト５６，５６のネジ軸部１２０の先端に突設された支持軸部１２１，１２１を挿通させ得る軸孔１２２，１２２が、前記ネジ孔５７，５７と同心に設けられている。そして図１６に示すように、上の支持片５３の下面１１２に前記滑りリング１１５を介して前記上の連結片１１６が重なり、且つ前記下の支持片５５の上面１１３に前記滑りリング１１５を介して前記下の連結片１１７が重なる状態で、前記ネジ孔５７と軸孔１２２が同心に連通するので、前記枢着ボルト５６のネジ軸部１２０を前記ネジ孔５７に螺合すると、前記支持軸部１２１が前記軸孔１２２に密接に挿入せしめられる。これにより、前記後の側板８６の後端部１１１が、前記取付部材９に対して図１７に矢印で示すように内方に屈曲可能に枢着されている。そして左右の側面板１１，１１は、後の側板８６が前記左右の取付部材９，９に対し図１７に矢印で示す内方に屈曲し、図１８、図８に示すように、折り畳まれた状態で、前記収納凹部２９の左右部分１２３，１２５に収納される。
【００３４】
又前記前面板１３は、図２、図４〜５、図１９〜２０に示すように、ステンレス板等の金属板を折曲して形成されており、その外周部分１２５は、水平に屈曲された周面部（例えば２０ｍｍ幅）１２６が形成されると共に該周面部１２６の先端で内側に屈曲されて内側屈曲片１２７が形成され、前記折り畳まれた左右の側面板１１，１１に折り重なった状態で前記収納凹部２９に納まる形状と大きさを有する。又、該前面板１３の前面の左右に引手１２９，１２９が設けられると共に、前記前面板１３の下部の両側に車輪１３０ａ，１３０ａとしての接地部材１３０，１３０が設けられている。該前面板１３の下端部分には前記内側屈曲片１２７によって溝部１３１が形成されるので、該溝部１３１の底面１３２に水抜き孔１３３が設けられている。なお該前面板１３は、その外周部分１２５が断面コ字状を呈するため、薄肉のステンレス板を用いて形成されてはいても、所要の剛性を有する。
【００３５】
又図１９、図２１に矢印で示すように、前記左右の前の側板８７，８７の前端部１３５，１３５が、該前面板１３に対して内方に屈曲可能に枢着されている。この枢着は、内方に折り畳み可能な蝶番１３６を用いて行われており、その一方の蝶番片１３７が、前記側板８７の前記内側屈曲片１２７の表面に固定される一方、他方の蝶番片１３９は、前記前面板１３の内側屈曲片１２７に連ねて設けた支持台１３４に固定されている。そして、前記前面板１３の両端部分１４１，１４１は、直線状に展開された状態にある左右の側面板１１，１１の外方に稍突出している。
【００３６】
そして前記前面板１３が、図２２に示すように、前記左右の側面板１１，１１の内方への屈曲に伴って前記後面板６に向けて移動し、前記折り畳まれた左右の側面板１１，１１に折り重なった状態となる。又、前記左右の引手１２９，１２９に手を掛けて、折り重ね状態にある前面板１３を前方に引っ張ることにより、該前面板１３を前方向に容易に移動させることができる。
【００３７】
前記のように、取付部材９が前記連結部７に、垂直面内で回動可能に枢着されていることから、該取付部材９の図１３に矢印Ｆ１で示す時計回りの回動により、前記前面板１３は、前記車輪１３０ａが下り勾配の歩道面３０ａに無理なく接地しながら前方向に移動できる。又同様に、前面板１３を図２２に示すように前記後面板６に向けて移動させる際も、前記取付部材９が図１２に矢印Ｆ２で示す反時計回りに回動することによって、前面板１３は、前記車輪１３０ａが歩道面３０ａに接地しながら前記後面板６に向けて移動できる。そして、前面板１３の下部に設けられた左右の車輪１３０ａ，１３０ａは、図４、図８に示すように、前面板１３が前記収納凹部２９に収納された状態において、前記後面板６の下端１５１に隣接する。
【００３８】
又、前記後面板６と、直線状に展開した左右の側面板１１，１１と前記前面板１３とにより、図２に示すように、上端開放の直方体箱状をなす収容庫１５が形成されるのであるが、該収容庫１５に収容したごみをカラスや猫の被害から効果的に保護するために、本実施例においては、展開状態にある左右の側面板１１，１１の上端側の対向部位相互を連結する弾性紐状物１５２を側面板１１の長さ方向に、例えば８０ｍｍ程度の間隔で配置すると共に、左右に位置する前後の側板８７，８６、８７，８６の上部及び前記前面板１３の上部に忌避ローラ１５３を配置している。
【００３９】
図２、図２３は、該弾性紐状物１５２による連結状態の一例を示すものであり、前後の側板８７，８６の上端に形成されている内側屈曲片９１，９１に、前後方向に例えば２０ｍｍの間隔で係合孔１５５が並設され、左右の係合孔１５５，１５５は向き合う状態で並設されている。又前記弾性紐状物１５２は、直径３〜６ｍｍ、例えば直径４ｍｍ程度の弾力性と耐久性に優れたシリコンゴム紐を以って形成され、その両端に、図２４に示すようなフック１５６，１５６が取り付けられている。そして両端のフック１５６，１５６を、左右対向する係合孔１５５，１５５に掛着させることによって、左右の側面板１１，１１の上端側の対向部位相互を、所要に伸長した弾性紐状物１５２で連結した状態が得られる。そして、隣り合う弾性紐状物１５２，１５２間の間隔Ｌ（図２３）は前記係合孔１５５の選択によって自由に設定できる。この間隔を例えば８０ｍｍに設定すると、収容庫１５の上端にネット状の鳥避け部１５７を形成でき、カラスが収容庫１５内に侵入するのを防止できる。なお、この間隔は、弾性紐状物の並設によって所要の鳥避け部を形成できる限り、１２０〜２００ｍｍ程度等と、より大きく設定してもよい。そして、ごみ袋を収容庫１５内に投入する際や収容庫１５からごみ袋を取り出す際に、隣り合う弾性紐状物１５２，１５２間の間隔が自由に拡がる。
【００４０】
又前記忌避ローラ１５３は、図２５〜２６、図２９に示すように、外径が例えば１９ｍｍのパイプ１５９を用いて形成されており、該パイプ１５９の両端に嵌着されたベアリング１６０，１６０を、前後の側板８７，８６の上端面１６１，１６２や前記前面板１３の上端面１６３に固定された軸受部材１６５，１６５で支持することにより、該パイプ１５９の軸線回りに正逆回転自在とされている。該軸受部材１６５は、図２７〜２８に示すように、上端面１６１、１６２、１６３に固定される台座片１６６に立設した立片１６７に、前記ベアリング１６０を支持する支持軸１６９を突設した構成を有している。特に、前記前面板１３の上端面１６３の中央部に設けられる軸受部材１６５ａは、図２７に示すように、該上端面１６３に固定される台座片１６６ａに立設した立片１６７ａの左右面に支持軸１６９，１６９を突設した構成を有している。
【００４１】
又、前記軸受部材１６５の内、前の側板８７の上端面１６１の後側部分に固定された軸受部材１６５ｂと、後の側板８６の上端面１６２の前側部分に固定された軸受部材１６５ｃは、図２８〜３０に示すように、該上端面１６１、１６２に固定された台座片１６６に、前後方向に貫通する連結孔１７０を設けた構成を有し、前記側面板１１が直線状に展開した状態において両軸受部材１６５ｂ，１６５ｃの連結孔１７０，１７０の軸線が合致する。そしてこの状態で、直棒状の連結軸１７１の前端に摘まみ１７２を設けてなるＬ字状連結具１７３の該連結軸１７１を後方向に移動させて両連結孔１７０，１７０に挿通させることにより、前記両軸受部材１６５ｂ，１６５ｃの連結孔１７０，１７０と前記直棒状の連結軸１７１とからなる止め具１６８の屈曲阻止作用によって該側面板１１の屈曲が阻止される。一方、該連結軸１７１を前方向に移動させることにより、該連結軸１７１の後端部１７５が前記後の軸受部材１６５ｃの連結孔１７０を外れ、これにより前記屈曲阻止作用が解除され、前記側面板１１が屈曲可能となる。そして、該連結軸１７１の前方向への移動は、前の側板８７の上端面１６１に突設した規制突部１７６で阻止され、連結軸１７１が前の軸受部材１６５ｂから外れないようになされている。
【００４２】
又、前記忌避ローラ１５３の長さは、前後の側面板１１，１１に関しては、夫々の上端面１６１，１６２の両端側に設けられた軸受部材１６５，１６５で支持されるように設定されており、又前記前面板１３に関しては、その上端面１６３の一方の端部と中央部に設けられた軸受部材１６５ｄ，１６５ａで支持されるように設定されている。なお、前面板１３の上部に配置する忌避ローラ１５３は、その全長に亘る長さのものであってもよいのであるが、本実施例においては忌避ローラ１５３の安定性を考慮して左右に２分割している。
【００４３】
このように構成された忌避ローラ１５３にカラスが止まったとすれば、該忌避ローラ１５３が正逆回転自在であるために安定的に止まっていることができず、カラスは飛び立つことが予想される。かかることから、側面板１１上や前面板１３上に止まったカラス等の鳥が収容庫１５内のごみ袋を破ってごみをあさる等の被害を防止できる。又、猫が側面板１１や前面板１３に駆け上がって前記忌避ローラ１５３に掴まろうとしても、該忌避ローラ１５３が正逆回転自在であることから掴まることができずに滑り落ちてしまうことが期待され、猫の被害も防止できることになる。
【００４４】
次に、かかる構成を有する折り畳み式収容庫１の使用状態を説明する。不使用時においては、図４、図８、図１８に示すように、左右の側面板１１，１１が、折り畳まれた状態で前記収納凹部２９に収納されると共に、前記前面板１３が、該折り畳まれた左右の側面板１１，１１に折り重なった状態で前記収納凹部２９に収納されている。この収納状態で、前記前面板１３の前面１６７が、前記後面板６の前面１６８と略面一状態にある。そして、この収納状態が、例えば該前面板１３の左右部及び中央上部に設けた鍵１７７，１７７，１７８のロック作用によって保持される。該鍵１７７、鍵１７８は、図３１〜３２、図３３〜３４に示すように、垂直面内で回転するロック片１７９を有する。そして、該ロック片１７４，１７９が、該鍵１７７，１７８の回転操作によって、図３２（Ａ）（Ｂ）、図３４（Ａ）（Ｂ）に示すように、前記左右の縦枠１９，１９の内面１８０，１８０に設けられたスリット１８１，１８１や前記上の横枠２１の下面１８２に設けられたスリット１８４を出入りできる。該鍵１７７，１７８の正回転によって該ロック片１７４，１７９が該スリット１８１，１８４を通して前記縦枠１９内や前記横枠２１内に入ることにより、該ロック片１７４，１７９が該スリット１８１，１８４の縁部と係合し、前記ロック作用が得られる。
【００４５】
図２に示すような収容庫１５を形成するに際しては、前記鍵１７７，１７８を逆回転させて前記ロック片１７４，１７９を前記スリット１８１，１８４から外す。その後、左右の引手１２９，１２９に手を掛けて該前面板１３を前方向に引っ張ると、前記取付部材９が図１２に矢印Ｆ１で示す方向に回動しながら前記車輪１３０ａが接地状態を保ちつつ、前面板１３が前方向に無理なく移動できる。この移動に伴い、前記左右の側面板１１，１１が徐々に開いて前記収納凹部２９から引き出されて行き、最終的に、左右の側面板１１，１１が図３５、図３に示すような直線状態になる。この過程において、前記各弾性紐状物１５２は、図２２に示す弛んだ状態から図２に示す伸長状態に変わる。左右の側面板１１，１１が直線状に展開された状態で、これを保持するため、前記連結軸１７１を後方向に移動させ、図３０に示すように、その後側部分１７１ａを前記軸受部材１６５ｃの連結孔１７０に挿通状態とする。これにより所要の収容庫１５が形成される。該収容庫１５内にごみ袋を収容する際、隣り合う弾性紐状物１５２，１５２間が弾性的に自由に拡がるため、ごみ袋を収容庫１５内に容易に投入できる。又、ごみの回収に際しては、隣り合う弾性紐状物１５２，１５２間の間隔が自由に拡がるため、収容庫１５内のごみ袋を容易に取り出すことができる。
【００４６】
なお、ごみ袋の取り出しをより容易とするために、図３６〜３７に示すように、前記前面板１３の例えば内面側の左右、及び前記後面板６の例えば内面側の左右に、前記弾性紐状物１５２を着脱可能に保持する保持片１５４を設けるのがよい。該保持片１５４は、例えば図３６に示すようなフック状引掛け片として構成できる。なお該保持片１５４は、前記側面板１１，１１と前記前面板１３の折り畳みを阻害しないように設ける。然して図３６〜３７に示すように、並設された弾性紐状物１５２の前側に存するものを前記前面板１３の左右の保持片１５４，１５４に引っ掛けると共に、後側に存するものを前記後面板６の左右の保持片１５４，１５４に引っ掛けることにより、前記収容庫１５の上端を全開に近い状態に大きく開放させることができ、ごみ袋の取り出し口１５８を大きく確保できることとなる。
【００４７】
そして、並設された伸長状態の各弾性紐状物１５２によって形成されたネット状の鳥避け部１５７や前記忌避ローラ１５３が、カラスや猫等が収容庫に寄りつくのを防止するため、収容庫１５に収容されているごみ袋をカラスや猫の被害から保護できる。
【００４８】
ごみの収集が完了した後は、前記連結軸１７１を前方向に移動させ、図２９に示すように、その後端部１７５が後の軸受部材１６５ｃの連結孔１７０を外れた状態とすることによって、後面板１１が屈曲可能となる。従って、前記弾性紐状物１５２の弾性的な収縮作用により、図３８に示すような、左右の側面板１１，１１が若干内側に屈曲した状態が得られる。その後、前記前面板１３を前記後面板６に向けて移動させると、左右の側面板１１，１１が既に内側に屈曲状態にあることから、図２２に示すように、該左右の側面板１１，１１が無理なく内側に折り畳まれていく。その際、多数並設されている前記弾性紐状物１５２は、図２２に示すように、側面板間に介在される。
【００４９】
そして図１８に示すように、左右の側面板１１，１１が、折り畳まれた状態で前記収納凹部２９に収納されると共に、前記前面板１３が、該折り畳まれた左右の側面板１１，１１に折り重なった状態で前記収納凹部２９に収納される。このように収納されることにより、折り畳み式収容庫１の不使用時における美観向上が図られ、又、該後面板６から張り出すことに伴う交通障害等の恐れも回避できる。この収納状態は、前記左右の鍵１７７，１７７、前記中央の鍵１７８をロックすることにより保持される。なお該中央の鍵１７８によるロックは、ごみ収集車によるごみの回収等が完了した後に収容庫を一旦折り畳んだ状態にして行われる一時的なロックであり、又、左右の鍵１７７，１７７によるロックは、収容庫の管理者によって行われる最終的なロックである。
【００５０】
図３９は、ごみの回収を容易とする前記折り畳み式収容庫１の使用方法の他の態様を示すものであり、前記連結軸１７１を前方向へ移動させて前記止め具１６８の屈曲阻止作用を解除した状態で、前記収容庫１５内に収容されているごみ袋を前側に存するものから順次取り出し、この取り出しに伴って、前記前面板１３を同図に矢印で示すように後方向に移動させる。これにより、取り出すべきごみ袋を常に前面板１３に近接状態にできることから、収容庫１３からのごみ袋の取り出しを容易化、能率化し得る。この使用方法は、前記弾性紐状物１５２を有さない折り畳み式収容庫に対しても当然に応用できる。
【００５１】
図４０は、前記ベンチ３７及び前記掲示板部１７が省略された折り畳み式収容庫１を、駐車場において建物の外壁１６８に近接して設置した場合等、上り勾配の設置面（接地面）３０に設置した場合を示すものであり、前記前面板１３は、前記取付部材９が、図１１に示す垂直状態から図１３に示すように反時計回りに回動しつつ、前記車輪１３０ａが上り勾配の設置面（接地面）３０に接地しながら前方向に移動できる。なお、該折り畳み式収容庫１が、前記ベンチ３７、前記掲示板部１７を具えることもある。
【実施例２】
【００５２】
本発明は、前記実施例で示したものに限定されるものでは決してなく、「特許請求の範囲」の記載内で種々の設計変更が可能であることはいうまでもない。その一例を挙げれば次のようである。
【００５３】
(1) 前記取付部材９を垂直面内で回動可能に枢着する他の構成として、前記基板５２の上端側を前記連結部７に枢着することがある。この場合、該取付部材９の回動時の安定を確保するために、前記基板５２の下端部分を、該下端部分のスイングを妨げないように保持溝に嵌め入れて保持するのがよい。
又、前記基板５２の下端側を前記連結部７に枢着することもあり、この場合は、該取付部材９の回動時の安定を確保するために、前記基板５２の上端部分を、該上端部分のスイングを妨げないように保持溝に嵌め入れて保持するのがよい。
【００５４】
(2) 前記側面板１１の屈曲を阻止する前記止め具１６８は、前記のように連結軸１７１を摺動させるように構成されることの他、側面板１１を直線状の展開状態で保持可能とし、且つ内方に屈曲可能とするものであれば、公知の各種手段を用いて構成できる。
【００５５】
(3) 図４１、図４２、図４３は本発明に係る折り畳み式収容庫１の他の実施例を示すものであり、付勢部材１９０を用い、前記止め具１６８による屈曲阻止作用を解除した状態で左右の側板面１１，１１が内方に無理なく屈曲し得るように構成されている。
図４１に示す折り畳み式収容庫１は、前後の側板８７，８６間の間隙１９１に例えばゴム片１９０ａとしての付勢部材１９０を介在させ、その一端部１９２を、後の側板８６の前端面９７又は前の側板８７の後端面１００に固設している。本実施例においては図４１（Ａ）に示すように、前の側板８７の後端面１００に、接着やビス固定手段等によって、例えば接着により固設している。そして前記側面板１１は、該ゴム片１９０ａとしての付勢部材１９０を稍弾性圧縮させた状態で、図４１（Ｂ）に示すように、直線状の展開状態となり得る。この状態で前記止め具１６８による屈曲阻止が行われるのであるが、該屈曲阻止が解除されることにより、前記付勢部材１９０の付勢作用によって、図４１（Ｃ）に示すように、左右の側面板１１，１１が内方に屈曲した状態となり得る。これにより、左右の側面板１１，１１を無理なく内側に折り畳むことかできる。
図４２、図４３に示す折り畳み式収容庫１は、図４１におけるゴム片１９０ａを、例えばＵ字状のバネ片１９０ｂに変更した実施例を示すものである。該Ｕ字状バネ片１９０ｂの一片１９６を、後の側板８６の前端面９７又は前の側板８７の後端面１００に固設している。本実施例においては図４２（Ａ）に示すように、前の側板８７の後端１００に、例えばビス固定や溶着等の固定手段によって、例えばビス固定により固設している。図４２に示すものと図４３に示すものは、前記後端１００に対するＵ字状のバネ片１９０ｂの取り付け向きが異なるだけで、その他の構成は同様である。そして前記側面板１１は、前記Ｕ字状のバネ片１９０ｂを稍弾性圧縮させた状態で、図４２（Ｂ）、図４３（Ｂ）に示すように、直線状の展開状態となり得る。この状態で前記止め具１６８による屈曲阻止が行われるのであるが、該屈曲阻止が解除されることにより、前記付勢部材１９０の付勢作用によって、図４２（Ｃ）、図４３（Ｃ）に示すように、左右の側面板１１，１１が内方に屈曲した状態となり得る。これにより、左右の側面板１１，１１を無理なく内側に折り畳むことかできる。
前記付勢部材１９０は、前記の他、各種形態のバネ性を有する部材等を用いて構成できる。
【００５６】
(4) 前記前面板１３に、収容されたごみ袋等の収容物を取り出すための横長矩形状等を呈する取り出し口を設け、該取り出し口を開き戸で開閉可能とすることがある。なお、開き戸を引戸に変更してもよい。
【００５７】
(5) 折り畳まれた前記左右の側板１１，１１及び前記前面板１３は、前記実施例で示したように、前記後面板６に設けられた収納凹部２９に完全に収納乃至略収納された状態とされることの他、かかる収納凹部が設けられず、折り畳まれた側面板が前記後面板に折り重なるように構成されることもある。
【００５８】
(6) 前記前面板１３に設けられる前記車輪１３０ａは、該前面板１３が収納凹部２９に収納された状態において、該収納凹部２９に納まるように構成することもある。
【００５９】
(7) 前記保持片１５４は、前記フック状引掛け片としての他、開閉可能で弾性紐状物を着脱可能に保持し得る各種手段を採用できる。
かかる構成の保持片１５４は、前面板１３や後面板６のいずれか一方に設けることもできる。又該保持片１５４は、これらの左右の両側に位置させて設けることの他、その中央部等の１箇所に設けられることもある。又、前記のように前面板１３の左右や後面板６の左右に設ける場合、該保持片１５４が左右方向に長く形成されることもある。
【００６０】
(8) 本発明に係る折り畳み式収容庫を構成する前面板１３や、後面板６、前後の側板８７，８６等は前記したステンレス板製等の金属製とされることの他、樹脂製等とされることもある。
【００６１】
(9) 本発明における前記前後の側板８７，８６及び前記前面板１３は、上端開放の収容庫を形成できる限り、その全体又は一部分が網目状や格子状等の穴明き状態に構成されることもある。この場合、該収容庫をごみ収容庫として利用するときは、網目や格子目の大きさを、収容されたごみがカラスや猫等の被害にあいにくいように設定する。例えば、目の大きさ（格子目や菱形目の一辺長、円形孔の直径等）を１０〜２０ｍｍ程度とする。
【００６２】
(10)収容庫１５にカラスや猫等が寄り付かないようにするために、前記忌避ローラに  代えて、該上端の長さ方向に延長する忌避用紐状物１９５を、前記前後の側板８６，８７の上部や前記前面板１３の上部に１段或いは複数段で配置することもある。この場合、カラス等の忌避効果を高めるために、該忌避用紐状物１９５の表面に、光沢材を色分け等によりして塗布したり、該表面に忌避剤を塗布するのがよい。
【００６３】
(11)本発明においては、前後の側板が直線状に展開するとは、製作誤差等により、若干屈曲した状態とな  る場合を含むものである。
【００６４】
(12)前記弾性紐状物１５２は、被覆したコイルバネ等の弾性を有する紐状を呈するもの全般を採用できる。そして該弾性紐状物１５２の、左右の側面板１１，１１への取り付けは、隣り合う弾性紐状物間の間隔を所要に設定できる限り、各種手段を採用できる。又、収容部へのごみ袋等の収容物の投入や、収容されているごみ袋等の取り出しの際、収容部の上部を大きく開口させるために、該弾性紐状物の全体を収容部の前側や後側にスライド等により寄せたり、前後に分けてスライド等により寄せるように構成することもある。
【００６５】
(13)前記接地部材１３０は、前記した車輪１３０ａとしての他、接地面に接地して該接地面を移動できる部材として構成できる。接地部材１３０が車輪ではなく滑り面を有する場合は、該接地面を、滑り面を有するレール部材等を用いて構成するのがよい。或いは、接地面そのものが滑り面（平滑な床面等）として形成されることもある。
そして該接地部材１３０は、前記前面板１３の引き出しによって形成された収納庫１５の安定を確保し得る限り、側面板１１の下部（例えば、前記した前の側板８７の下部の前側）に設けられることもある。又、該接地部材１３０を前面板１３に設ける場合、該前面板１３の下部の中央部位等に設けることもでき、該下部の左右に設けるものには特定されるものではない。又、側面板１１の下部と前面板１３の下部の双方に設けることもある。
【００６６】
(14)側面板１１の屈曲を阻止するための手段は、図２８〜３０に示すものの他、前後の側板８７，８６の展開状態を保持し、且つその保持を解除できるものであれば、各種に構成できる。
【００６７】
(15)前記忌避ローラ１５３は、前記した長さの長いものを用いることの他、これを複数本に分割した短い長さのローラとして構成されることもある。この場合は、該短いローラが、前記前後の側板８７，８６の上部や前記前面板１３の上部で、該上部の延長方向に所要間隔を置いて配設される。
【００６８】
(16)前記収容庫１５の上面は、鳥避けのために、ネットやシート等の被覆材で覆うこともある。この場合、該被覆材を、前記後面板６側に設けた、自動又は手動の巻取り具によって巻き取り可能に構成してもよい。又は、該被覆材の一端を前記後面板６側に固定した構成とすることもできる。
【００６９】
(17)前記鍵１７８は、解除の容易な、凹凸係合方式の鍵やマグネット吸着方式の鍵等として構成することもできる。
【００７０】
(18)本発明に係る折り畳み式収容庫は、ごみ収容庫として利用できることの他、例えば工場等において物品を一時的に保管する収容庫としても利用できる。そして、設置面（接地面）が下り勾配の他、上り勾配に形成されている場合であっても、前記取付部材９の垂直面内の回動によって、その車輪１３０ａ等の接地部材１３０を無理なく接地させ得る。
【００７１】
(19)本発明に係る折り畳み式収容庫は、前記のように、ごみ収容庫として利用できることの他、例えば工場等において物品を一時的に保管する収容庫としても利用できるため、本発明に係る使用方法は、収容庫１５に収容される各種収容物を対象として応用できる。
【図面の簡単な説明】
【００７２】
【図１】本発明に係る折り畳み式収容庫を使用状態で示す平面図である。
【図２】本発明に係る折り畳み式収容庫を使用状態で示す斜視図である。
【図３】本発明に係る折り畳み式収容庫を使用状態で示す斜視図である。
【図４】折り畳み式収容庫を折り畳んだ状態で示す斜視図である。
【図５】取付部材に対する側面板の取り付け状態を説明する斜視図である。
【図６】取付部材が枢着された後面板を、側面板の後側部分と共に示す斜視図である。
【図７】後面板の連結部に枢着された取付部材に対する後の側板の連結構造を説明する斜視図である。
【図８】左右の側面板と前面板を収納部に収納した状態で示す縦断面図である。
【図９】取付部材を連結部に枢着する枢着具の構造を説明する分解斜視図である。
【図１０】連結部に対する取付部材の枢着構造を説明する断面図である。
【図１１】後面板の連結部に対する取付部材の枢着状態を、該取付部材が垂直状態で示す正面図である。
【図１２】その取付部材が時計回りに稍回動した状態を示す正面図である。
【図１３】その取付部材が反時計回りに稍回動した状態を示す正面図である。
【図１４】前後の側板を蝶番を介して枢着した状態を示す断面図である。
【図１５】側板の下端部分の溝部に設けられた水抜き孔を示す斜視図である。
【図１６】取付部材に対する後の側板の連結状態を示す正面図である。
【図１７】その連結状態を示す平面図である。
【図１８】左右の側面板と前面板を収納部に収納した状態で示す横断面図である。
【図１９】左右の前の側板の端部相互を前面板で連結した状態を示す平面図である。
【図２０】前面板の下部の溝部に設けた水抜き孔を示す斜視図である。
【図２１】前の側板と前面板との枢着状態を示す断面図である。
【図２２】左右の側面板が稍折り畳まれた状態を示す平面図である。
【図２３】弾性紐状物の並設によって形成された鳥避け部を示す部分斜視図である。
【図２４】弾性紐状物の両端側を、フックを介して左右の側面板の係合孔に掛着させる構成を説明する部分斜視図である。
【図２５】前後の側板の上部に設けた忌避ローラを示す正面図である。
【図２６】前面板の上部に設けた忌避ローラを示す正面図である。
【図２７】前面板の上部の中央に配置した軸受部材を示す斜視図である。
【図２８】前後の側板相互を連結軸で連結した状態を示す斜視図である。
【図２９】その連結を解除した状態を示す断面図である。
【図３０】その連結状態を示す断面図である。
【図３１】前面板の左右部に設けた鍵の構成を示す斜視図である。
【図３２】その鍵の作用を説明する一部断面正面図である。
【図３３】前面板の上部に設けた鍵の構成を示す斜視図である。
【図３４】その鍵の作用を説明する一部断面正面図である。
【図３５】下り勾配の歩道面に収容庫を形成した状態を示す側面図である。
【図３６】弾性紐状物の前側に存するものを、前面板及び後面板に設けた左右のフック状引掛け片に引っ掛けた状態を示す斜視図である。
【図３７】弾性紐状物の前側に存するものを、前面板及び後面板に設けた左右のフック状引掛け片に引っ掛けた状態を示す斜視図である。
【図３８】止め具の屈曲阻止作用を解除した状態で、弾性紐状物の弾性収縮作用により左右の側面板が若干内側に屈曲した状態を示す平面図である。
【図３９】折り畳み式収容庫の使用方法を示す平面図である。
【図４０】上り勾配の接地面に収容庫を形成した状態を示す側面図である。
【図４１】止め具の屈曲阻止作用を解除した状態で、左右の側面板を若干内側に弾性的に屈曲した状態とする他の構成を説明する説明図である。
【図４２】止め具の屈曲阻止作用を解除した状態で、左右の側面板を若干内側に弾性的に屈曲した状態とするその他の構成を説明する説明図である。
【図４３】止め具の屈曲阻止作用を解除した状態で、左右の側面板を若干内側に弾性的に屈曲した状態とするその他の構成を説明する説明図である。
【符号の説明】
【００７３】
１  収容庫
６  後面板
７  連結部
９  取付部材
１１  側面板
１３  前面板
２０  収納凹部
３０  設置面
８６  後の側板
８７  前の側板
１５２  弾性紐状物
１５３  忌避ローラ
１５４  保持片
１９０  付勢部材
【図１】
2005314109.tif 000003
【図２】
2005314109.tif 000004
【図３】
2005314109.tif 000005
【図４】
2005314109.tif 000006
【図５】
2005314109.tif 000007
【図６】
2005314109.tif 000008
【図７】
2005314109.tif 000009
【図８】
2005314109.tif 000010
【図９】
2005314109.tif 000011
【図１０】
2005314109.tif 000012
【図１１】
2005314109.tif 000013
【図１２】
2005314109.tif 000014
【図１３】
2005314109.tif 000015
【図１４】
2005314109.tif 000016
【図１５】
2005314109.tif 000017
【図１６】
2005314109.tif 000018
【図１７】
2005314109.tif 000019
【図１８】
2005314109.tif 000020
【図１９】
2005314109.tif 000021
【図２０】
2005314109.tif 000022
【図２１】
2005314109.tif 000023
【図２２】
2005314109.tif 000024
【図２３】
2005314109.tif 000025
【図２４】
2005314109.tif 000026
【図２５】
2005314109.tif 000027
【図２６】
2005314109.tif 000028
【図２７】
2005314109.tif 000029
【図２８】
2005314109.tif 000030
【図２９】
2005314109.tif 000031
【図３０】
2005314109.tif 000032
【図３１】
2005314109.tif 000033
【図３２】
2005314109.tif 000034
【図３３】
2005314109.tif 000035
【図３４】
2005314109.tif 000036
【図３５】
2005314109.tif 000037
【図３６】
2005314109.tif 000038
【図３７】
2005314109.tif 000039
【図３８】
2005314109.tif 000040
【図３９】
2005314109.tif 000041
【図４０】
2005314109.tif 000042
【図４１】
2005314109.tif 000043
【図４２】
2005314109.tif 000044
【図４３】
2005314109.tif 000045